(57)【要約】【課題】原稿シートの１枚分の読取画像に対して９０度回転を行う場合に、相手先装置が「Ｖ．３４」通信規格の下で通信可能であることを示すＡＮＳａｍ信号を受信する場合、相手先装置にタイムアウトせずにファックス送信することができるファックス装置を提供する。【解決手段】複合機１は、相手先装置６１からの１回目のＤＩＳ信号の受信からＣＦＲ信号の受信に至る一連の工程の中に、相手先装置６１にＡＮＳａｍ信号の再送を要求するＣＩ信号を送信し、かつ、２回目のＡＮＳａｍ信号と２回目のＤＩＳ信号とを受信する工程を入れる。故に、複合機１がＣＦＲ信号を受信するタイミングが遅くすることができ、相手先装置６１のタイムアウト時間を越えないようにすることができる。複合機１が読取画像を「Ｖ．３４」通信規格の下で相手先装置６１にファックス送信することができる。【選択図】図６
2018042039.tif 000002
【特許請求の範囲】
【請求項１】
原稿シートを支持する支持部と、
前記支持部に支持された前記原稿シートを搬送する搬送部と、
搬送経路の所定位置にて画像を読み取る読取センサと、
電話回線を介して相手先装置に画像データを送信するファックス通信部と、
前記原稿シートの長辺が前記読取センサの主走査方向に沿う向き、又は、前記原稿シートの短辺が前記読取センサの主走査方向に沿う向き、のいずれかの向きに前記支持部に支持されているかを検知する原稿シート検知センサ部と、
制御部と、
記憶部と、
を備え、
前記制御部は、
前記原稿シート検知センサ部が、前記原稿シートの長辺が前記読取センサの主走査方向に沿う向きに前記支持部に支持されていることを検知した場合、前記原稿シート１枚分に対応する前記読取センサが読み取った読取画像を９０度回転する回転処理を実行するか否かを決定する回転処理実行決定処理と、
前記相手先装置から送信される１回目のデジタル識別信号を前記ファックス通信部が受信したことに応じて、前記搬送部に対して前記原稿シートの搬送開始を指示する搬送開始指示処理と、
前記相手先装置から送信される前記１回目のデジタル識別信号を前記ファックス通信部が受信する前に、１回目のＡＮＳａｍ信号を前記相手先装置から前記ファックス通信部が受信する場合であって、かつ、前記回転処理実行決定処理にて前記回転処理を実行することが決定されていない第１の場合において、
前記ファックス通信部が前記１回目のデジタル識別信号を受信後、前記ファックス通信部に受信準備確認信号を受信させる第１通信規格処理と、
前記１回目のデジタル識別信号を前記ファックス通信部が受信する前に、前記１回目のＡＮＳａｍ信号を前記相手先装置から前記ファックス通信部が受信する場合であって、かつ、前記回転処理実行決定処理にて前記回転処理を実行することが決定されている第２の場合において、
前記ファックス通信部が前記１回目のデジタル識別信号を受信後、前記ファックス通信部によりＡＮＳａｍ信号の再送を要求し、前記ファックス通信部が前記相手先装置から送信される２回目のＡＮＳａｍ信号と前記２回目のデジタル識別信号とを再度、受信後、前記ファックス通信部に前記相手先装置からの受信準備確認信号を受信させる第２通信規格処理と、
を実行し、
前記第１の場合において、前記搬送部の搬送によって搬送される前記原稿シートを、前記読取センサを用いて前記所定位置にて読み取らせた読取画像を、前記ファックス通信部による前記受信準備確認信号の受信完了後、Ｖ．３４通信規格の下で、読み取った順番で前記ファックス通信部を用いて前記相手先装置に送信し、
前記第２の場合において、前記搬送部によって搬送される原稿シートを、前記読取センサを用いて前記所定位置にて読み取らせ、前記原稿シート１枚分に対応する前記読取画像を前記記憶部に記憶された段階で、前記原稿シート１枚分に対応する前記読取画像に対して前記回転処理を実行し、前記ファックス通信部による前記受信準備確認信号の受信完了、及び、前記回転処理の完了後、前記回転処理が実行された前記読取画像を、前記Ｖ．３４通信規格の下で、前記ファックス通信部を用いて前記相手先装置に送信する、
ファックス装置。
【請求項２】
請求項１に記載のファックス装置であって、
前記第２通信規格処理は、
前記ファックス通信部により前記ＡＮＳａｍ信号の再送の要求として再送要求信号を送信し、
前記ファックス通信部が最初に前記再送要求信号を送信してから所定時間内に、前記ファックス通信部が前記相手先装置からの前記２回目のＡＮＳａｍ信号を受信しない場合、前記ファックス通信部により２回目の再送要求信号を前記相手先装置に送信する、
ファックス装置。
【請求項３】
請求項２に記載のファックス装置であって、
前記制御部は、
前記第２の場合において、
前記ファックス通信部が、前記受信準備確認信号を受信後、前記ファックス通信部に対してダミー画像の送信を開始させ、前記回転処理が完了後、前記ファックス通信部に対して前記相手先装置へのダミー画像の送信を停止させる、
ファックス装置。
【請求項４】
請求項３に記載のファックス装置であって、
前記記憶部は、第１バッファと第２バッファとからなり、
更に、
前記読取センサより前記搬送経路の上流側の位置を通過する前記原稿シートを検知するセンサ部、
を備え、
前記支持部に支持された複数枚の原稿シートを１枚毎に前記相手先装置にファックス送信する場合において、
前記制御部は、
前記第２の場合に、前記センサ部の検知に基づいて、前記読取センサによる前記所定位置に搬送される原稿シートの読み取りを開始させ、前記センサ部の検知から非検知の変化に基づいて、前記読取センサに読み取りを終了させる読取制御処理と、
前記第２の場合に、前記読取制御処理によって前記読取センサが読み取った前記読取画像を読み取られた順に、前記第１バッファに記憶させる第１バッファ記憶処理と、
前記第２の場合に、前記バッファ移動処理によって前記第１バッファに記憶された前記原稿シート１枚分に対応する前記読取画像を９０度回転する回転処理を実行し、前記回転処理された読取画像が前記第２バッファに記憶させ、前記第１バッファを空にする第２バッファ記憶処理と、
前記第２の場合に、前記第２バッファに記憶された前記回転処理された読取画像を、前記Ｖ．３４通信規格の下で前記ファックス通信部を用いて前記相手先装置に送信する、画像データ送信処理と、
を実行し、
前記第２の場合に、前記センサ部の検知から非検知の変化に基づく前記読取制御処理による前記読取センサの読み取り終了後、再び、前記センサ部が非検知から検知の変化に基づいて、前記第１バッファが空であれば、前記搬送部による搬送を維持する、
ファックス装置。
【請求項５】
請求項４に記載のファックス装置であって、
前記第２の場合に、前記センサ部の検知から非検知の変化に基づく前記読取制御処理による前記読取センサの読み取り終了後、再び、前記センサ部が非検知から検知の変化に基づいて、前記第１バッファが空で無ければ、前記搬送部による搬送を停止させ、前記第１バッファが空になった段階で、前記制御部は、前記搬送部に対して搬送の再開を指示する、
ファックス装置。
【請求項６】
請求項５に記載のファックス装置であって、
前記搬送部によって前記支持部から前記原稿シートを搬送開始してから前記原稿シートの先端が前記所定位置に至るまでの所要時間は、前記第２通信規格処理における前記ファックス通信部が前記１回目のデジタル識別信号を受信してから、前記２回目のＡＮＳａｍ信号と前記２回目のデジタル識別信号とを再度、受信を経て、前記受信準備確認信号を受信するまでに至る時間より短く、
前記原稿シート１枚分を前記読取センサが読み取るのに要する時間と、前記原稿シート１枚分に対応する前記読取画像に対して９０度回転する処理に要する時間と、所定ライン分の圧縮処理を完了させるのに必要な時間との和は、前記相手先装置が前記受信準備確認信号を受信してから一定時間経過するタイムアウト時間よりも短い、
ファックス装置。
【請求項７】
請求項６に記載のファックス装置を有する複合機であって、
更に、
記録シートが支持される記録シート支持部と、
画像形成を行う画像形成部、
を備え、
前記記録シート支持部は、前記記録シートの長辺が前記画像形成部の記録主走査方向と平行となる向きに前記記録シートが支持され、
前記主走査方向と直交する副走査方向は、前記記録主走査方向に対して平行であって、
前記画像形成部は、前記記録シート支持部は、前記主走査方向と平行、かつ、前記記録主走査方向と直交する記録副走査方向に搬送された前記記録シートに対して、前記記録主走査方向に画像形成する、
複合機。
【発明の詳細な説明】
【技術分野】
【０００１】
本発明は、ファックス装置および複合機に関する。
【背景技術】
【０００２】
従来、ＡＤＦ（ＡＤＦ：Ａｕｔｏ Ｄｏｃｕｍｅｎｔ Ｆｅｅｄｅｒ）を用いて、原稿シートを１枚ずつ搬送し、原稿シートの搬送経路上の所定位置に設けられたＣＩＳ（ＣＩＳ：Ｃｏｎｔａｃｔ Ｉｍａｇｅ ｓｅｎｓｏｒ）等の読取センサを用いて、搬送された原稿シートの画像を読み取り、読み取った読取画像を、電話回線を介してファックス送信するファックス装置が知られている。
【０００３】
特許文献１のファクシミリ装置は、原稿シートの長辺が読取センサの主走査方向に沿う向きで原稿シートを読み取った場合に、読取センサが読み取った読取画像を９０度回転させる回転処理を行い、その回転処理後の読取画像をファックス送信する。
【０００４】
ファックス装置がファックス送信する方法としては、例えば、次の方法がある。その方法では、まず、ファックス送信先の相手先装置からデジタル識別信号（ＤＩＳ信号）を受信した段階で、ファックス装置がＡＤＦを駆動させる。ファックス装置は、ＡＤＦの駆動と並行して、受信したＤＩＳ信号から相手先装置の通信速度等の受信能力を取得し、ファックス装置と相手先装置とが利用可能な最大能力を決定し、デジタル命令信号（ＤＣＳ信号）として相手先装置に送信する。これにより、相手先装置へのファックス送信の通信規格が決まる。
【０００５】
一方、ＡＤＦの駆動によって、読取センサの位置に原稿シートが搬送されると、読取センサが原稿シートを読み取る。１枚分の読取画像に対して９０度回転を行う必要が無い場合は、読み取った順に読取画像が決まった通信規格の下で相手先装置に送信される。また、１枚分の読取画像に対して９０度回転を行う必要がある場合、読み取り終了してから回転処理が完了後、読取画像が決まった通信規格の下で相手先装置に送信される。
【先行技術文献】
【特許文献】
【０００６】
【特許文献１】特開２００４−３１２１０３号公報
【発明の概要】
【発明が解決しようとする課題】
【０００７】
しかし、ファックス装置が上述の方法を用いてファックス送信する場合であって、かつ、読取画像を９０度回転させる回転処理を行う必要がある場合に、ファックス装置が、相手先装置が「Ｖ．３４」通信規格の下で通信可能であることを示すＡＮＳａｍ信号（変形応答信号）を受信した場合、相手先装置にファックス送信することができないという問題があった。
【０００８】
「Ｖ．３４」通信規格は、ＩＴＵ−Ｔ勧告に基づく規格であって、「Ｖ．１７」通信規格等の他の通信規格に比べて、相手先装置とファックス装置とで高速でデータの送信を行うものである。「Ｖ．３４」通信規格は、相手先装置に読取画像を送る際の通信速度が他の通信規格に比べて単に速いだけでなく、ファックス装置が相手先装置からのＤＩＳ信号を受信してから、相手先装置からの受信準備確認信号（ＣＦＲ信号）の受信に至る一連の工程が他の通信規格に比べて短くなっている。
【０００９】
相手先装置は、ＣＦＲ信号をファクス装置に送信してから一定以上の時間（タイムアウト時間）が経過すると、ファックス装置からの読取画像の受信を拒否する。そのため、「Ｖ．３４」通信規格おいて、１枚分の読取画像に対して９０度回転を行う場合、ファックス装置がＣＦＲ信号を受信してからファックス装置が読取画像を送信の準備が完了する時間が、タイムアウト時間を越えてしまうため、ファックス装置が相手先装置に読取画像を送信できなかった。
【００１０】
本発明の目的は、１枚分の読取画像に対して９０度回転を行う場合に、相手先装置から「Ｖ．３４」通信規格の下で通信可能であることを示すＡＮＳａｍ信号を受信した場合であっても、相手先装置がタイムアウトすることなく、「Ｖ．３４」通信規格の下で相手先装置にファックス送信することができるファックス装置を提供することである。
【課題を解決するための手段】
【００１１】
前記の目的を達成するため、本発明のファックス装置は、原稿シートを支持する支持部と、前記支持部に支持された前記原稿シートを搬送する搬送部と、搬送経路の所定位置にて画像を読み取る読取センサと、電話回線を介して相手先装置に画像データを送信するファックス通信部と、前記原稿シートの長辺が前記読取センサの主走査方向に沿う向き、又は、前記原稿シートの短辺が前記読取センサの主走査方向に沿う向き、のいずれかの向きに前記支持部に支持されているかを検知する原稿シート検知センサ部と、制御部と、記憶部と、を備え、前記制御部は、前記原稿シート検知センサ部が、前記原稿シートの長辺が前記読取センサの主走査方向に沿う向きに前記支持部に支持されていることを検知した場合、前記原稿シート１枚分に対応する前記読取センサが読み取った読取画像を９０度回転する回転処理を実行するか否かを決定する回転処理実行決定処理と、前記相手先装置から送信される１回目のデジタル識別信号を前記ファックス通信部が受信したことに応じて、前記搬送部に対して前記原稿シートの搬送開始を指示する搬送開始指示処理と、前記相手先装置から送信される前記１回目のデジタル識別信号を前記ファックス通信部が受信する前に、１回目のＡＮＳａｍ信号を前記相手先装置から前記ファックス通信部が受信する場合であって、かつ、前記回転処理実行決定処理にて前記回転処理を実行することが決定されていない第１の場合において、前記ファックス通信部が前記１回目のデジタル識別信号を受信後、前記ファックス通信部に受信準備確認信号を受信させる第１通信規格処理と、前記１回目のデジタル識別信号を前記ファックス通信部が受信する前に、前記１回目のＡＮＳａｍ信号を前記相手先装置から前記ファックス通信部が受信する場合であって、かつ、前記回転処理実行決定処理にて前記回転処理を実行することが決定されている第２の場合において、前記ファックス通信部が前記１回目のデジタル識別信号を受信後、前記ファックス通信部によりＡＮＳａｍ信号の再送を要求し、前記ファックス通信部が前記相手先装置から送信される２回目のＡＮＳａｍ信号と前記２回目のデジタル識別信号とを再度、受信後、前記ファックス通信部に前記相手先装置からの受信準備確認信号を受信させる第２通信規格処理と、を実行し、前記第１の場合において、前記搬送部の搬送によって搬送される前記原稿シートを、前記読取センサを用いて前記所定位置にて読み取らせた読取画像を、前記ファックス通信部による前記受信準備確認信号の受信完了後、Ｖ．３４通信規格の下で、読み取った順番で前記ファックス通信部を用いて前記相手先装置に送信し、前記第２の場合において、前記搬送部によって搬送される原稿シートを、前記読取センサを用いて前記所定位置にて読み取らせ、前記原稿シート１枚分に対応する前記読取画像を前記記憶部に記憶された段階で、前記原稿シート１枚分に対応する前記読取画像に対して前記回転処理を実行し、前記ファックス通信部による前記受信準備確認信号の受信完了、及び、前記回転処理の完了後、前記回転処理が実行された前記読取画像を、前記Ｖ．３４通信規格の下で、前記ファックス通信部を用いて前記相手先装置に送信する。
【００１２】
この構成によれば、回転処理実行決定処理にて回転処理を実行することが決定された場合に、相手先装置から「Ｖ．３４」通信規格の下で通信可能であることを示すＡＮＳａｍ信号を受信した第２の場合、ファックス装置が相手先装置からの１回目のデジタル識別信号を受信から受信準備確認信号の受信に至る一連の工程の中に、相手先装置にＡＮＳａｍ信号の再送を要求する再送要求信号を送信し、かつ、２回目のデジタル識別信号と２回目のＡＮＳａｍ信号とを受信する工程を入れることで、ファックス装置が受信準備確認信号を受信するタイミングが遅くすることができる。
【００１３】
故に、１枚分の読取画像に対して９０度回転を行う第２の場合であっても、ファックス装置が受信準備確認信号を受信してからファックス装置が読取画像を送信の準備が完了する時間が、相手先装置のタイムアウト時間を越えないようにすることができる。相手先装置の要求通りに、ファックス装置が読取画像を「Ｖ．３４」通信規格の下で相手先装置にファックス送信することができる。
【図面の簡単な説明】
【００１４】
【図１】複合機１の概略的な斜視図。
【図２Ａ】複合機１の概略的な断面図。
【図２Ｂ】搬送制御処理における原稿シートＧの位置を示す断面図。
【図３】原稿搬送ユニット３の内部構成を示す上面図。
【図４】記録紙搬送部４３の内部構成を示す上面図。
【図５】複合機１の電気的構成を示すブロック図。
【図６】読取制御の流れと（Ａ）通常のＶ．３４方式と（Ｂ）本発明におけるＶ．３４方式との信号の流れを示す図。
【図７】ファックス送信時のメインフローチャート。
【図８】搬送送信制御処理を示すフローチャート（第１の場合）。
【図９】再送信処理を示すフローチャート（第２の場合）。
【図１０】第２搬送制御処理を示すフローチャート（第２の場合）。
【図１１】第２送信制御処理を示すフローチャート（第２の場合）。
【発明を実施するための形態】
【００１５】
以下では、本発明の実施の形態について、添付図面を参照しつつ詳細に説明する。
＜１．複合機の外観＞
図１は、本実施形態の画像処理装置の一例である複合機１（ファックス装置の一例）の斜視図である。この複合機１は、プリンタ機能、スキャナ機能、ファクシミリ機能などを備える他、原稿シートＧを読み取り、読み取った読取画像を記録紙シートＨに画像形成を行う、いわゆるコピー機能を備えた多機能周辺装置である。
【００１６】
図１に示すように、複合機１は、本体２の上に、原稿搬送ユニット３が搭載されている。本体２は、記録紙トレイ１３（記録シート支持部の一例）、画像形成部３１（図４、図５参照）を備える他、後述する中央処理装置（以下、ＣＰＵ）７０（図５参照：制御部の一例）等を備える。また、本体２は、記録紙搬送経路３５（図４参照：２点鎖線）に沿って記録紙シートＨを搬送する機能を有する記録紙搬送部４３を備える。
【００１７】
本体２は、読取センサ２１（読取センサの一例）を備える他、その上面に透明なガラス板からなるプラテンガラス１４とＡＤＦガラス１５等を備える。
【００１８】
更に、本体２には、電源スイッチやスタートキーなどの各種設定ボタンからなり、使用者からの操作指令等を受け付ける操作部９、ＬＥＤや液晶ディスプレイからなり複合機１の状況を表示する表示部８等が設けられている。
【００１９】
原稿搬送ユニット３は、プラテンガラス１４を覆うカバーとなっており、プラテンガラス１４の上面を開閉可能に構成されている。
【００２０】
原稿搬送ユニット３は、原稿搬送経路４５に沿って原稿シートＧを１枚ずつ自動で搬送する原稿自動送り機能を有するＡＤＦ４１（搬送部の一例）を備える他、上面カバー１１、給紙トレイ１２（支持部の一例）、原稿ガイド１６を備える。
【００２１】
＜２．原稿搬送ユニット３の内部構成＞
次に、原稿搬送ユニット３の内部構成について説明する。
【００２２】
図２（ａ）は、複合機１の断面図であり、原稿搬送ユニット３の閉姿勢における複合機１の断面図を示している。また、図２（ｂ）は、後述する搬送制御処理（図８：Ｓ３７０等）における原稿シートＧの位置を示す図を示している。原稿シートＧの先端がリアセンサ（Ｒセンサ）４４の位置で停止している様子を示している。
【００２３】
図２（ａ）に示すように、ＡＤＦ４１は、フロントセンサ（Ｆセンサ）１８、Ｒセンサ（センサ部の一例）４４、原稿搬送経路４５、複数の搬送ローラ４６、複数の搬送ローラ４６を回転駆動するモータである駆動部３９、排紙トレイ４７、押え部材４８を含む。
【００２４】
Ｆセンサ１８は、給紙トレイ１２に配置されている。Ｆセンサ１８は、給紙トレイ１２に原稿シートＧが載置されているか否かを検出するセンサである。Ｒセンサ４４は、原稿搬送経路４５上に配置されており、Ｒセンサ４４が配置された位置Ｐ１に原稿シートＧが存在するか否かを検出する。Ｆセンサ１８、Ｒセンサ４４である、いずれのセンサも、原稿シートＧが存在する場合にオンを検知し、原稿シートＧが存在しない場合にオフを検知する。
【００２５】
押え部材４８は、給紙トレイ１２の上側に配置されており、搬送ローラ４６Ａを介して給紙トレイ１２に上下方向に重ねて載置される原稿シートＧを上側から押える。
【００２６】
駆動部３９によって伝達される駆動力によって複数の搬送ローラ４６が回転する。すると、ＡＤＦ４１は、給紙トレイ１２に載置されている原稿シートＧを原稿搬送経路４５に１枚ずつ搬送する。搬送ローラ４６Ａは、給紙トレイ１２に載置されている原稿シートＧのうち、最も上側に載置された原稿シートＧから１枚ずつ原稿搬送経路４５に搬送する。
【００２７】
ＡＤＦガラス１５の下に読取センサ２１は、位置Ｐ２に位置する。そして、ＡＤＦ４１は、原稿シートＧを、ＡＤＦガラス１５の上を通過させて排紙トレイ４７に排出する。また、押圧部材３８は、ＡＤＦガラス１５の上を通過する原稿シートＧがＡＤＦガラス１５から浮かないように、原稿シートＧをＡＤＦガラス１５に向けて押圧する。
【００２８】
読取センサ２１は、ＣＩＳ（Ｃｏｎｔａｃｔ  Ｉｍａｇｅ  Ｓｅｎｓｏｒ）を用いた、いわゆるＣＩＳ方式である。読取センサ２１は、本体２内に配置されており、複合機１の前後方向に平行な方向である主走査方向Ｄ１に広がって形成されている。読取センサ２１は、原稿搬送経路４５に沿って搬送される原稿シートＧを、位置Ｐ２で、主走査方向Ｄ１に沿って読み取る。
【００２９】
読取センサ２１は、ＡＤＦガラス１５上を通過する原稿シートＧを読み取る際に、原稿搬送経路４５においてＲセンサ４４が配置された位置Ｐ１より下流側に位置する位置Ｐ２において原稿シートＧを読み取る。読取センサ２１は、ＡＤＦガラス１５上を通過する原稿シートＧを読み取る場合、上流側に配置されたＲセンサ４４が原稿シートＧを検出してから、原稿シートＧが原稿搬送経路４５に沿ってＲセンサ４４が設けられた位置Ｐ１と位置Ｐ２との間を搬送される時間である規定時間後に原稿シートＧの読み取りを開始する。
【００３０】
読取センサ２１は、ＲＧＢ３色の発光ダイオードなどで構成される光源２２、複数の受光素子が図２の紙面垂直方向に直線状に配列されているリニアイメージセンサ２３、原稿シートＧで反射された光源２２からの反射光をリニアイメージセンサ２３の各受光素子に結像させるロッドレンズアレイ２４を含む。なお、読取センサ２１はＣＩＳ方式に限られず、ＣＣＤ（電荷結合素子）イメージセンサを用いた、いわゆるＣＣＤ方式であってもよい。
【００３１】
なお、光源２２がＡＤＦ４１によって搬送される原稿シートＧや押圧部材３８に光を照射し、その照射した光が、原稿シートＧや押圧部材３８によって反射された反射光をリニアイメージセンサ２３によって受光することによって、読取センサ２１は、原稿シートＧや押圧部材３８を読み取る。
【００３２】
また、読取センサ２１は、プラテンガラス１４の下側を読取副走査方向Ｄ２に移動可能に支持されている。読取センサ２１は、読取副走査方向Ｄ２に移動しながらプラテンガラス１４上に静止して載置された原稿シートＧを読み取るＦＢ読取も可能である。以後、位置Ｐ２に静止した読取センサ２１の状態及び動作を説明しているものとする。
【００３３】
＜３．原稿搬送ユニットの内部構成を示す上面図＞
次に、原稿搬送ユニット３の内部構成について説明する。図３は、原稿搬送ユニット３の内部構成を示す上面図であって、原稿搬送ユニット３の上面カバー１１を取り外した状態で上から見た図を示している。
【００３４】
原稿搬送ユニット３は、複数の搬送ローラ４６が配置されている。搬送ローラ４６は、駆動部３９の駆動力にとって回転する。そして、給紙トレイ１２に載置された原稿シートＧは、搬送ローラ４６によって原稿搬送経路４５に沿って右から左に向けて１枚ずつ搬送される。
【００３５】
原稿搬送ユニット３は、幅センサ１７（原稿シート検知センサ部の一例）、Ｆセンサ１８が設けられている。Ｆセンサ１８は、給紙トレイ１２に配置されるとともに主走査方向Ｄ１において中心線５０近傍に配置されており、給紙トレイ１２に原稿シートＧが載置されているか否かを検出する。
【００３６】
幅センサ１７は、読取副走査方向Ｄ２においてＦセンサ１８と同一位置に配置されるとともに、主走査方向Ｄ１において中心線５０から基準距離離れて配置されている。
【００３７】
そのため、給紙トレイ１２では、幅センサ１７を用いて、原稿シートＧの載置向きを検出することができる。給紙トレイ１２では、図２に二点鎖線で示すように、原稿シートＧの短辺が主走査方向Ｄ１と平行となる横向きに載置することができる他、矢印５１で示す原稿ガイド１６の可動範囲内において、図２に実線で示すように、原稿シートＧの長辺が主走査方向Ｄ１と平行となる縦向きに載置することができる。具体的には、Ａ４原稿サイズやレター原稿サイズ以下の原稿サイズであれば、給紙トレイ１２に原稿シートＧを縦向きに載置することができる。
【００３８】
そして、原稿シートＧが縦向きに載置された場合、原稿シートＧは幅センサ１７に対向することから、幅センサ１７はオンする。その一方、原稿シートＧが横向きに載置された場合、原稿シートＧは幅センサ１７に対向して配置されず、幅センサ１７はオフする。従って、幅センサ１７の検出結果から原稿シートＧの載置向きが検出される。
【００３９】
＜４．本体２の内部構成＞
次に、本体２の内部構成について、特に、画像形成部３１について図４を用いて説明する。図４に示すように、本体２は、給紙ローラ３６や記録紙搬送ローラ３７などの各種ローラからなる記録紙搬送部４３を有している。記録紙搬送部４３の各種ローラは、不図示のモータなどの駆動手段によって回転し、記録紙トレイ１３に載置された記録紙シートＨを画像形成部３１へと搬送する。
【００４０】
画像形成部３１は、インク等を用いて記録紙シートＨに画像を形成する形成ヘッド３２、形成ヘッド３２が固定される搬送ベルト３３、及び、ローラ３４等を含む。ローラ３４は、不図示のモータなどの駆動手段によって回転し、回転により搬送ベルト３３を複合機１の左右方向に平行な記録主走査方向Ｄ３に移動させる。画像形成部３１は、複合機１の前後方向に平行な記録副走査方向Ｄ４に搬送される記録紙シートＨに対して、形成ヘッド３２を記録主走査方向Ｄ３に移動させながら、記録主走査方向Ｄ３に画像形成を行う。
【００４１】
つまり、複合機１では、記録主走査方向Ｄ３と読取副走査方向Ｄ２とが互いに平行であって、記録副走査方向Ｄ４と主走査方向Ｄ１とが互いに平行になっている。
【００４２】
記録紙トレイ１３では、記録紙シートＨの載置向きが決まっており、図４に実線で示すように、Ａ４用紙サイズの記録紙シートＨを、記録紙シートＨの長辺が記録主走査方向Ｄ３と平行となる横向きに載置することができる。
【００４３】
原稿シートＧが読取センサ２１によって読み取られ、読み取った読取画像を記録紙シートＨに画像形成を行う際、給紙トレイ１２に原稿シートＧの短辺が複合機１の前後方向と平行となる向きに載置される（図３：Ｇの２点鎖線参照）と、回転処理を行う必要が生じる。原稿シートＧの短辺側から順に読取センサ２１によって読み取られ、読取画像として記憶されるため、画像形成部３１が記録紙シートＨの長辺側から画像形成を開始するには、１枚の原稿シートＧを読み終わってから、その読取画像に対して回転処理を行い、記録紙シートＨの長辺側から画像形成できるように読取画像に対して回転処理を行う必要が生じるためである。その回転処理を行う分、画像形成部３１は、画像形成に時間がかかる。
【００４４】
原稿シートＧが読取センサ２１によって読み取られ、読み取った読取画像を記録紙シートＨに画像形成を行う際、給紙トレイ１２に原稿シートＧの長辺が複合機１の前後方向と平行となる向きに載置される（図３：Ｇの実線参照）と、原稿シートＧの長辺側から順に読取センサ２１によって読み取られ、その読み取られた長辺側の読取画像をそのまま、画像形成部３１は、記録紙シートＨの長辺側から画像形成を開始することができる。故に、回転処理を行う必要が無い分、画像形成部３１は、画像形成を速く実行することができる。
【００４５】
しかし、原稿シートＧを読取センサ２１によって読み取り、相手先装置６１（図５参照）にファックス送信する際、給紙トレイ１２に原稿シートＧの長辺が複合機１の前後方向と平行となる向きに載置される（図３：Ｇの実線参照）と、ファックス送信では、原稿シートＧの短辺を先に送信することになっているため、画像形成する場合とは逆に、回転処理を実行する必要が生じる。
【００４６】
＜５．複合機の電気的構成＞
次に、複合機１の電気的構成について説明する。
【００４７】
複合機１は、図５に示されるように、ＡＳＩＣ７１と、表示部８と、操作部９と、読取センサ２１と、駆動部３９と、画像形成部３１と、幅センサ１７と、Ｆセンサ１８と、Ｒセンサ４４と、ファックス通信部３０（ファックス通信部の一例）と、ＲＯＭ７６と、ＲＡＭ７７（記憶部の一例）とを備える。ＡＳＩＣ７１には、表示部８等が電気的に接続されている。
【００４８】
ファックス通信部３０は、電話回線６０を介して相手先装置６１であるファックス装置と接続され、相手先装置６１であるファックス装置から信号を受信、又は、相手先装置６１であるファックス装置に対して信号を送信することが可能となる。また、ファックス通信部３０は、「Ｖ．１７」通信規格や「Ｖ．３４」通信規格の下での通信速度で相手先装置６１と信号の送受信を行うことができる。
【００４９】
ＡＳＩＣ７１は、ＣＰＵ７０と画像処理部７２とを内蔵している。ＣＰＵ７０は、ＡＳＩＣ４１に入力される情報に基づいて、各種の処理のためのプログラムを実行する。そして、ＣＰＵ７０は、画像形成部３１（画像形成部の一例）、読取センサ２１、駆動部３９、表示部８、操作部９、ファックス通信部３０等を制御する。また、ＡＳＩＣ７１は、各種符号化方式の下で圧縮・解凍処理を実行することができる。
【００５０】
ＲＯＭ７６には、ＣＰＵ７０によって実行されるプログラム及び各種のデータなどが記憶されている。ＲＡＭ７７は、ＣＰＵ７０がプログラムを実行する際のワークエリアとして使用される。ＲＡＭ７７は、第１バッファ７８（第１バッファの一例）と第２バッファ７９（第２バッファの一例）という記憶領域を有している。第１バッファには、読取センサ２１によって読み取られた読取画像が記憶され、第２バッファには、画像処理部７２が第１バッファに記憶された読取画像を回転処理した後の読取画像が記憶される。
【００５１】
画像形成部３１は、ＲＡＭ７７に記憶された画像データに対して印刷（カラー印刷又はモノクロ印刷）を実行し、記録紙シートＨに画像を形成する。画像形成の方式は、本実施例では、インクジェット方式で説明するが、電子写真方式であってもよい。画像形成部３１は、ファックス通信部３０が受信した画像を記録紙シートＨに画像形成することもできる。
【００５２】
読取センサ２１は、光源２２、リニアイメージセンサ２３等から構成されており、光源２２が原稿シートＧや押圧部材３８に光を照射し、その照射した光が、原稿シートＧや押圧部材３８によって反射された反射光をリニアイメージセンサ２３によって受光することによって、原稿シートＧや押圧部材３８が読み取られる。そしてリニアイメージセンサ２３が読取画像を出力し、ＲＡＭ７７の第１バッファ７８に読取画像として記憶される。
【００５３】
駆動部３９は、モータ等から構成されている。駆動部３９が駆動すると、駆動部３９の駆動力が搬送ローラ４６に伝達され、搬送ローラ４６が回転するように構成されている。
【００５４】
幅センサ１７は、原稿シートＧの長辺が読取センサ２１の主走査方向Ｄ１に沿う向きに、原稿シートＧが給紙トレイ１２に支持されていると、原稿シートＧを検知し、オンを示す信号をＡＳＩＣ７１に出力する。原稿シートＧの短辺が読取センサ２１の主走査方向Ｄ１に沿う向きに、原稿シートＧが給紙トレイ１２に支持されていると、原稿シートＧを検知することなく、オフという信号をＡＳＩＣ７１に出力する。
【００５５】
Ｆセンサ１８は、原稿シートＧが給紙トレイ１２に載置されていれば、原稿シートＧを検知し、オンを示す信号をＡＳＩＣ７１に出力する。Ｆセンサ１８は、原稿シートＧが給紙トレイ１２に載置されていなければ、原稿シートＧを非検知であって、オフを示す信号をＡＳＩＣ７１に出力する。
【００５６】
Ｒセンサ４４は、原稿搬送経路４５を通って搬送される原稿シートＧを位置Ｐ１にて検知している場合、オンを示す信号をＡＳＩＣ７１に出力する。また、Ｒセンサ４４は、位置Ｐ１にて原稿シートＧを検知しない、非検知の場合、オフを示す信号をＡＳＩＣ７１に出力する。
【００５７】
表示部８は、例えば、液晶表示器からなる。操作部９は、各種の操作ボタンからなる。操作ボタンの押操作により、各種の入力が可能である。操作ボタンには、例えば、各種の指示を確定するためのＯＫボタン、各種の指示をキャンセルするためのキャンセルボタン、選択するための十字ボタン、数字や文字を入力するためのテンキーなどが含まれる。操作部９からの各種の操作ボタンの操作がＡＳＩＣ７１に入力され、ＡＳＩＣ７１は、入力された情報に応じて、各部を制御する。
【００５８】
＜６．ファックス送信方法について＞
以下、本実施例におけるファックス送信方法については以下のとおりである。複合機１は、ファックス送信先の相手先装置６１に対して、まず、ダイヤル番号とＣＮＧ信号とを送信する。すると、相手先装置６１は、ファックス受信準備ができていれば、複合機１に対して電話回線を介してデジタル識別信号（以下、ＤＩＳ信号）を送信する。複合機１は、相手先装置６１からＤＩＳ信号を受信すると、駆動部３９の駆動によって搬送ローラ４６を回転し原稿シートＧが搬送される。そして、複合機１は、読取センサ２１による原稿シートＧの読取動作を開始させ、ＲＡＭ７７に読み取った読取画像を記憶させる。複合機１は、原稿シートＧの搬送と平行して、受信したＤＩＳ信号から、相手先装置６１とファックス通信部３０とが互いに利用可能な最大能力の通信速度、符号化方式を決定し、その決定された通信速度等の条件の下で相手先装置６１にファックス通信部３０を介して読取画像を送信する。
【００５９】
本方法では、相手先装置６１のファックス受信準備ができていない場合、すなわち、複合機１がＤＩＳ信号を受信しない場合は、複合機１は、駆動部３９の駆動を開始しない。故に、複合機１は、原稿シートＧの読取動作を無駄にすることが無く、ＲＡＭ７７に読取画像を全て記憶しておく必要も無い。本方法は、複合機１のＲＡＭ７７の記憶容量が大規模な容量を有していない場合や、ファックス送信をするユーザにとっては、相手先装置６１からのＤＩＳ信号の送信という回答を確認のうえで、原稿シートＧの読取動作が開始されるので、安心感がある。
【００６０】
しかし、１枚分の読取画像に対して９０度回転させる必要がある場合、「Ｖ．３４」通信規格の下で読取画像を相手先装置６１にファックス送信することができないという本発明の課題がある。
【００６１】
＜７．「Ｖ．３４」通信規格について＞
「Ｖ．３４」通信規格は、電話回線６０でデータ通信を行う際のＩＴＵ−Ｔ勧告で定められた規格の１つである。「Ｖ．３４」通信規格は、相手先装置６１と複合機１とで、「Ｖ．１７」等の他の通信規格と比べて、読取画像等のデータを含む信号のやり取りを高速で行うものである。
【００６２】
図６には、読取制御の流れと（Ａ）通常のＶ．３４方式と（Ｂ）本発明におけるＶ．３４方式との信号の流れがそれぞれ示されている。なお、Ｔｘは、ファックス通信部３０が行う相手先装置６１に信号を送信することを意味し、Ｒｘは、ファックス通信部３０が行う相手先装置６１が信号を受信することを意味している。
【００６３】
複合機１は、相手先装置６１に対してファックス通信部３０を介してダイヤル信号とＦＡＸ識別信号（以下、ＣＮＧ信号）を送信する。すると、複合機１は、相手先装置６１からＤＩＳ信号を受信する前に、ＡＮＳａｍ信号を受信する。ＡＮＳａｍ信号は、相手先装置６１が「Ｖ．３４」通信規格の下で通信可能であることを複合機１に伝える信号である。
【００６４】
すると、複合機１は、「Ｖ．３４」通信規格の下では、送信側である複合機１と受信側である相手先装置６１との間で、Ｖ８手順と呼ばれる信号のやり取りを行い、そのＶ８手順によって回線の品質が確認される。その後、複合機１は、ファックス通信部３０を介してＤＩＳ信号を受信する（図６：ａ）。
【００６５】
そして、複合機１は、デジタル命令信号（以下、ＤＣＳ信号）をファックス通信部３０によって送信する。すると、複合機１は、相手先装置６１から受信準備確認信号（以下、ＣＦＲ信号）をファックス通信部３０によって受信する（図６：ｂ）。
【００６６】
「Ｖ．３４」通信規格では、元々高速で通信することを目的としており、「Ｖ．１７」通信規格といった他の通信規格より、ＤＩＳ信号を受信してからＣＦＲ信号を受信するまでの期間が短くなっている。
【００６７】
「Ｖ．１７」通信規格では、相手先装置６１からＤＩＳ信号を受信すると、ファックス通信部３０を介してＤＣＳ信号を所定時間、送信後、トレーニングチェック信号（ＴＣＦ信号）を所定時間、送信する。ＴＣＦ信号は、回線の品質を確認するための信号である。受信側である相手先装置６１は、ＴＣＦ信号を受信し、トレーニングが正常に行われたことを確認した後、完了通知としてＣＦＲ信号を複合機１に送信する形で定められている。
【００６８】
しかし、「Ｖ．３４」通信規格では、ＴＣＦ信号を送信するということもなく、ＤＣＳ信号を送信する時間も「Ｖ．１７」通信規格と比べて短い。「Ｖ．３４」通信規格では、上述したように、ＴＣＦ信号の替わりに、ＤＩＳ信号を受信する前に、Ｖ８手順と呼ばれる回線の品質が確認手順によって短い時間で行われる。
【００６９】
結果として、「Ｖ．３４」通信規格の場合、ＤＩＳ信号を受信してから（図６：ａ）、原稿シートＧの先端がＲセンサ４４を通過するまで（図６：ｃ）より手前で、ファックス通信部３０がＣＦＲ信号を受信することになる（図６：ｂ）。
【００７０】
複合機１は、ＣＦＲ信号を受信してから、一定以上の時間（タイムアウト時間ＴＯＵＴ）以内に読取画像を受信側の相手先装置６１に送信しないと、相手先装置６１が複合機１からの読取画像の受信を拒否することになる。図６（Ａ）の場合における通常の制御では、ＣＦＲ信号を受信してから（図６：ｂ）読取画像が所定ライン分圧縮され、最初にＰＩＸ信号として送信可能となるタイミング（図６：ｅ）となるまでの時間Ｔがタイムアウト時間ＴＯＵＴを大幅に超えてしまうことになり、「Ｖ．３４」通信規格の下ではファックス送信することができない。
【００７１】
なお、原稿シートＧ、１枚分を読取センサ２１が読み取るのに要する時間（図６：ＴＲＥ）と、原稿シートＧ、画像処理部７２が１枚分に対応する読取画像に対して９０度回転する処理に要する時間（図６：ＴＲＯ）と、所定ライン分の圧縮処理を完了させるのに必要な時間（図６：ＴＰ）との和は、通信規格で定められた相手先装置がＣＦＲ信号を受信してから一定時間経過するタイムアウト時間（図６：ＴＯＵＴ）よりも短くなる性能を複合機１は有している。
【００７２】
次に、本発明の特徴的な構成である、図６（Ｂ）本発明におけるＶ．３４方式の信号の流れについて説明する。複合機１は、相手先装置６１からＤＩＳ信号を受信する前に、ＡＮＳａｍ信号を受信する。すると、図６（Ａ）では、Ｖ８手順を実施していたが、実施せずに、複合機１は、ファックス通信部３０によって、次に送信される１回目のＤＩＳ信号を受信する（図６：ｆ）。
【００７３】
次に、複合機１は、ファックス通信部３０を用いて相手先装置６１に対して相手先装置６１に対してＡＮＳａｍ信号の再送を要求する再送要求信号（以下、ＣＩ信号）を、ファックス通信部３０を介して送信する。
【００７４】
すると、相手先装置６１は、再度、２回目のＡＮＳａｍ信号を送信するため、複合機１は、２回目のＡＮＳａｍ信号を受信した段階で、上述のＶ８手順を行い、２回目のＤＩＳ信号を受信し、ＤＣＳ信号の送信を経て、ＣＦＲ信号を受信する（図６：ｈ）。
【００７５】
複合機１は、ＣＦＲ信号を受信するタイミングが、原稿シートＧの先端が位置Ｐ２に到達後となる（図６：ｇ）。ＣＦＲ信号を受信してから（図６：ｈ）読取画像が所定ライン分圧縮され、最初にＰＩＸ信号として送信可能となるタイミング（図６：ｊ）となるまでの時間Ｔがタイムアウト時間ＴＯＵＴ内に収めることができるため、複合機１は、「Ｖ．３４」通信規格の下ではファックス送信することができるようになる。
【００７６】
＜８．メインフローチャート＞
次に、ＣＰＵ７０が行う、ＡＤＦ４１によって搬送された原稿シートＧを読取センサ２１によって読み取り、相手先装置６１にファックス通信部３０を用いてファックス送信する際の各種制御について、図７、図８、図９、図１０、図１１を用いて説明する。
【００７７】
ＣＰＵ７０が行う各種制御は、ＲＯＭ７６に記憶されるプログラムに基づいて各構成要素に対して指示することによって行われる。
【００７８】
図７は、ＣＰＵ７０が行うメインフローチャートを示している。給紙トレイ１２には、原稿シートＧが複数枚、載置されているものとする。
【００７９】
給紙トレイ１２には、図３に実線で示すように、原稿シートＧの長辺が主走査方向Ｄ１と平行となる縦向きに載置、又は、図３に２点鎖線で示すように、原稿シートＧの短辺が主走査方向Ｄ１と平行となる横向きに載置可能となっている。
【００８０】
ＣＰＵ７０は、幅センサ１７がオンであるか、オフであるかを検出する（Ｓ１０５）。ＣＰＵ７０は、幅センサ１７がオンであれば（Ｓ１０５：ＹＥＳ）、回転送信オンというフラグをＲＡＭ７７に記憶させる。ＣＰＵ７０は、幅センサ１７がオフであれば（Ｓ１０５：ＮＯ）、回転送信オフというフラグをＲＡＭ７７に記憶させる（Ｓ１１５）。Ｓ１０５、Ｓ１１０、Ｓ１１５の処理は、回転処理実行決定処理の一例である。
【００８１】
図３に実線で示すように原稿シートＧが原稿シートＧの長辺が主走査方向Ｄ１と平行となる縦向きに載置されているので、ファックス送信する際は読取画像に対して９０度回転する回転処理を行う必要がある。そのため、回転送信オンというフラグがＲＡＭ７７に記憶される。
【００８２】
図３に２点鎖線で示すように原稿シートＧが原稿シートＧの短辺が主走査方向Ｄ１と平行となる横向きに載置されている場合、読取画像に対して９０度回転する回転処理を行う必要が無い。その場合は、回転送信オフというフラグがＲＡＭ７７に記憶される。
【００８３】
ユーザが操作部９を介して、ファックス送信を選択し、相手先装置６１の電話番号を入力する。すると、ＣＰＵ７０は、ユーザによる選択、および、電話番号の入力によって、ファックス送信開始指示を受け付ける（Ｓ１２０）。
【００８４】
次に、操作部９を介して入力された電話番号に従って、ＣＰＵ７０は、ファックス通信部３０を用いてダイヤル信号を送信する（Ｓ１２５）。次に、ＣＰＵ７０は、相手先装置６１にＣＮＧ信号を、ファックス通信部３０を用いて送信する（Ｓ１３０）。
【００８５】
ＣＰＵ７０は、相手先装置６１が「Ｖ．３４」通信規格の下で通信可能であることを示すＡＮＳａｍ信号をファックス通信部３０が受信せず、ファックス通信部３０がＤＩＳ信号を受信する場合（Ｓ１３５：ＮＯ）を（イ）の場合とする。
【００８６】
ＣＰＵ７０は、相手先装置６１が「Ｖ．３４」通信規格の下で通信可能であることを示すＡＮＳａｍ信号をファックス通信部３０がＤＩＳ信号を受信する前に受信した場合（Ｓ１３５：ＹＥＳ）であって、回転送信オフの場合を（ロ）の場合とする。なお、（ロ）の場合が第１の場合に対応する。
【００８７】
ＣＰＵ７０は、相手先装置６１が「Ｖ．３４」通信規格の下で通信可能であることを示すＡＮＳａｍ信号をファックス通信部３０がＤＩＳ信号を受信する前に受信した場合（Ｓ１３５：ＹＥＳ）であって、回転送信オンの場合を（ハ）の場合とする。なお、（ハ）の場合が第２の場合に対応する。
【００８８】
以下、複合機１（ファックス通信部３０）が、（イ）ＡＮＳａｍ信号を受信しない場合、（ロ）ＡＮＳａｍ信号を受信し、かつ、回転送信オフの場合、（ハ）ＡＮＳａｍ信号を受信し、かつ、回転送信オンの場合の３つの場合に場合わけを行い、メインフローチャートの流れを説明する。
【００８９】
＜（イ）  ＡＮＳａｍ信号を受信しない場合  ＞
ＣＰＵ７０は、ファックス通信部３０がＡＮＳａｍ信号を受信することなく（Ｓ１３５：ＮＯ）、ＤＩＳ信号を受信しない場合（Ｓ１４５：ＮＯ）、Ｓ１３５に戻り、一定期間待機する。
【００９０】
ＣＰＵ７０は、ファックス通信部３０がＡＮＳａｍ信号を受信することなく（Ｓ１３５：ＮＯ）、ＤＩＳ信号を受信すると（Ｓ１４５：ＹＥＳ）、駆動部３９に対して駆動の開始を指示する（Ｓ１５０）。Ｓ１５０は、搬送開始指示処理の一例である。
【００９１】
ＣＰＵ７０は、受信したＤＩＳ信号から、複合機１と相手先装置６１とが利用可能な最大能力である通信規格（但し、「Ｖ．３４」通信規格を除く）を決定し、その決定された通信規格を示すＤＣＳ信号を、ファックス通信部３０を介して相手先装置６１に送信する（Ｓ１５５）。
【００９２】
ＣＰＵ７０は、ファックス通信部３０を用いて、決定された非Ｖ．３４通信規格の下で、ＴＣＦ信号を所定時間、送信する。その後、ＣＰＵ７０は、ファックス通信部３０に相手先装置６１からのＣＦＲ信号を受信させる（Ｓ１６３）。
【００９３】
その後、（ロ）の場合と共通して用いられる、後述する図８の搬送送信制御処理を開始する（Ｓ１９０）。そして、図８の搬送送信制御処理が終了した段階にて（Ｓ１９５：ＹＥＳ）、ＣＰＵ７０は、図７のメインフローチャートを終了する。
【００９４】
＜（ロ）  ＡＮＳａｍ信号を受信し、回転送信オフの場合  〜第１の場合〜  ＞
ファックス通信部３０がＡＮＳａｍ信号を受信した場合（Ｓ１３５：ＹＥＳ）、ＲＡＭ７７に回転送信オン、又は、回転送信オフというフラグがあるか否かを確認する（Ｓ１４０）。
【００９５】
ＣＰＵ７０は、ＲＡＭ７７に回転送信オフが記憶されていれば（Ｓ１４０：ＮＯ）、ファックス通信部３０を用いてＶ８手順による各種信号のやり取りを相手先装置６１と行う（Ｓ１６５）。Ｖ８手順後、ファックス通信部３０がＤＩＳ信号を受信するのを待機する（Ｓ１７０）。
【００９６】
ＣＰＵ７０は、ファックス通信部３０がＤＩＳ信号を受信すると（Ｓ１７０：ＹＥＳ）、駆動部３９に対して駆動の開始を指示する（Ｓ１７５）。Ｓ１７５は、搬送開始指示処理の一例である。
【００９７】
駆動部３９は駆動を開始すると、複数の搬送ローラ４６が回転する。すると、原稿シートＧが給紙トレイ１２から搬送開始される。
【００９８】
ＣＰＵ７０は、受信したＤＩＳ信号から解像度や符号化方式といった決定された諸条件と共に「Ｖ．３４」通信規格の下で相手先装置６１との通信のやり取りを行うことを示すＤＣＳ信号を相手先装置６１に送信する（Ｓ１８０）。ファックス通信部３０は、相手先装置６１からＣＦＲ信号を受信する（Ｓ１８５）。Ｓ１７０とＳ１８５が第１通信規格処理の一例である。
【００９９】
次に、ＣＰＵ７０は、（イ）の場合と共通して用いられる、後述する図８の搬送送信制御処理を開始する（Ｓ１９０）。そして、図８の搬送送信制御処理が終了した段階にて（Ｓ１９５：ＹＥＳ）、ＣＰＵ７０は、図７のメインフローチャートを終了する。
【０１００】
＜（ハ）  ＡＮＳａｍ信号を受信し、回転送信オンの場合  〜第２の場合〜  ＞
ＣＰＵ７０は、ＲＡＭ７７に回転送信オンが記憶されていれば（Ｓ１４０：ＹＥＳ）、ファックス通信部３０が「Ｖ．３４」通信規格の下でデータを送受信可能な能力を有しているにも係らず、Ｖ８手順を行うこと無く、ＤＩＳ信号を受信するのを待つ（Ｓ２００）。そして、ファックス通信部３０は、１回目のＤＩＳ信号を受信する（Ｓ２００：ＹＥＳ）。
【０１０１】
ＣＰＵ７０は、後述する第２搬送制御処理の実行を開始（Ｓ２０５、図１０参照）し、駆動部３９の駆動を開始する（図１０、Ｓ６００）。Ｓ６００は、搬送開始指示処理の一例である。
【０１０２】
そして、ＣＰＵ７０は、後述する図９の再送信処理を行う（Ｓ２１０）。そして、ＣＰＵ７０は、受信したＤＩＳ信号から解像度や符号化方式といった決定された諸条件と共に「Ｖ．３４」通信規格の下で相手先装置６１との通信のやり取りを行うことを示すＤＣＳ信号を相手先装置６１に送信する（Ｓ２２０）。
【０１０３】
ファックス通信部３０は、相手先装置６１からＣＦＲ信号を受信すると（Ｓ２２５：ＹＥＳ）、後述する図１１の第２送信制御処理を開始する（Ｓ２３０）。Ｓ２００とＳ２１０とＳ２２５とが第２通信規格処理の一例である。
【０１０４】
ＣＰＵ７０は、第２搬送制御処理（Ｓ２０５、図１０参照）と第２送信制御処理（Ｓ２３０、図１１参照）とが互いに処理が終了するのを待機し（Ｓ２３５）、終了したら（Ｓ２３５：ＹＥＳ）、図７のメインフローチャートを終了する。
【０１０５】
＜９．（イ）（ロ）の場合に用いる搬送送信制御処理（図８）について＞
次に、（イ）（ロ）の場合に用いる搬送送信制御処理について、図８を用いて説明する。上述したように、ＣＰＵ７０は、ファックス通信部３０がＤＩＳ信号を受信すると（Ｓ１４５、Ｓ１７０：ＹＥＳ）、駆動部３９に対して駆動の開始を指示する（Ｓ１７５）。駆動部３９は駆動を開始すると、複数の搬送ローラ４６が回転する。すると、原稿シートＧが給紙トレイ１２から搬送開始される。その後、ＣＰＵ７０は、図８の搬送送信制御処理を行う。
【０１０６】
ＣＰＵ７０は、Ｒセンサ４４がオンするか否かを検知する（Ｓ３００）。Ｒセンサ４４がオンすると（Ｓ３００：ＹＥＳ）、原稿シートＧの先端がＲセンサ４４の位置Ｐ１に到達することになる。
【０１０７】
ＣＰＵ７０は、原稿シートＧが位置Ｐ１から位置Ｐ２に到達するまでの要する時間経過すると、読取センサ２１に対して読み取りを指示し、読み取りを開始する（Ｓ３０５）。
【０１０８】
ＣＰＵ７０は、ＲＡＭ７７に回転送信オン、又は、回転送信オフというフラグが記憶されているか否かを確認する（Ｓ３１０）。（イ）の場合、ＡＮＳａｍ信号を受信しない場合であっても、回転送信オン、回転送信オフの場合はそれぞれ在り、それぞれ処理を異ならせる必要がある。
【０１０９】
＜９−１．（イ）の場合における回転送信オンの場合＞
回転送信オンというフラグがＲＡＭ７７に記憶されている場合（Ｓ３１０：ＹＥＳ）、第１バッファ７８に、読取センサ２１が読み取った読取画像が記憶開始される（Ｓ３３５）。
【０１１０】
読取センサ２１による読み取りは、ＣＰＵ７０からの停止指示があるまで続行される。ＣＰＵ７０は、Ｒセンサ４４のオンからオフになるのを監視する（Ｓ３４０）。Ｒセンサ４４がオフすると（Ｓ３４０：ＹＥＳ）、原稿シートＧが位置Ｐ１から位置Ｐ２に到達するまでの要する時間経過した段階で、ＣＰＵ７０は、読取センサ２１に対して読み取りの停止を指示する（Ｓ３４５）。
【０１１１】
ＣＰＵ７０は、回転・圧縮処理を行う（Ｓ３５０）。第１バッファ７８には、原稿シートＧ、１枚分に対応する読取画像が記憶されている。ＣＰＵ７０は、画像処理部７２に対して、第１バッファ７８に記憶されている原稿シートＧ、１枚分の読取画像に対して、画像処理部７２を用いて９０度回転する回転処理を開始させ、回転処理された読取画像が第２バッファ７９に記憶される。そして、その回転処理後、受信したＤＩＳ信号から決定された符号化方式にてＡＳＩＣ７１による圧縮処理が行われる（Ｓ３５０）。
【０１１２】
ＣＰＵ７０は、ＡＳＩＣ７１による圧縮処理が所定ライン分毎に、実行完了された読取画像から順に、その実行された所定ライン分の読取画像をＰＩＸ信号としてファックス通信部３０を介して送信開始する（Ｓ３５５）。その際、ＰＩＸ信号は、受信したＤＩＳ信号から決定された通信規格（非Ｖ．３４通信規格）の下で、ファックス通信部３０によって相手先装置６１に送信される。
【０１１３】
＜９−２．（イ）の場合における回転送信オフの場合、及び、（ロ）の場合＞
回転送信オフというフラグがＲＡＭ７７に記憶されている場合（Ｓ３１０：ＮＯ）、ＣＰＵ７０は、ＡＳＩＣ７１による圧縮処理を所定ライン分実行し（Ｓ３１５）、その実行された所定ライン分の読取画像をＰＩＸ信号としてファックス通信部３０を介して送信する（Ｓ３２０）。圧縮処理は、受信したＤＩＳ信号から決定された符号化方式にてＡＳＩＣ７１による圧縮処理が行われる。
【０１１４】
ＣＰＵ７０は、Ｒセンサ４４のオンからオフになるのを監視する（Ｓ３２５）。ＣＰＵ７０は、Ｒセンサ４４がオフではない、すなわちＲセンサ４４がオンしている場合（Ｓ３２５：ＮＯ）、Ｓ３１５に戻り、Ｓ３１５とＳ３２０の処理を繰り返し行う。
【０１１５】
原稿シートＧが位置Ｐ１から位置Ｐ２に到達するまでの要する時間経過した段階で、ＣＰＵ７０は、読取センサ２１に対して読み取りの停止を指示する（Ｓ３３０）。
【０１１６】
＜９−３．（イ）（ロ）共通の処理＞
Ｆセンサ１８がオフでない、すなわち、Ｆセンサ１８がオンであれば（Ｓ３６０：ＮＯ）、Ｓ３６５に進む。なお、Ｆセンサ１８がオンということは給紙トレイ１２に搬送されるべき原稿シートＧが在ることを意味する。Ｆセンサ１８がオンであれば（Ｓ３６０：ＮＯ）、読取センサ２１によって読み取られた原稿シートＧと異なる、次の原稿シートが複数の搬送ローラ４６によって搬送されている。
【０１１７】
ＣＰＵ７０は、Ｒセンサ４４のオフからオンになるのを監視する（Ｓ３６５）。Ｒセンサ４４がオンすると（Ｓ３６５：ＹＥＳ）と、ＣＰＵ７０は、駆動部３９に対して駆動停止の指示を行う（Ｓ３７０）。原稿シートＧは、図２（Ｂ）のような状態で搬送待機の状態を意味し、位置Ｐ１に到達した次の原稿シートＧ（読取センサ２１によって、読み取られていない）は一旦停止することを意味する。
【０１１８】
駆動部３９の駆動停止を行うのは、読取センサ２１が１枚分の原稿シートＧを読み取ったら、その１枚分の読取画像を相手先装置６１にファックス送信し、終わったら、次の１枚分の原稿シートＧを読み取って、その１枚分の読取画像を相手先のファックス送信するため、ユーザが駆動部３９の駆動と停止とによって、複合機１が何ページの読取画像を相手先装置６１にファックス送信完了したのかを把握することができるためである。
【０１１９】
そして、ＣＰＵ７０は、読取センサ２１によって読み取られた原稿シートＧ、１枚分に対応する読取画像がＰＩＸ信号として相手先装置６１に送信完了したか否かを判断する（Ｓ３７５）。そして、ＣＰＵ７０は、ＰＩＸ信号が送信完了した場合（Ｓ３７５：：ＹＥＳ）、ＣＰＵ７０は、読取センサ２１によって読み取られた１枚の読取画像が相手先装置６１に送信完了したことを示すＭＰＳ信号を相手先装置６１に送信する（Ｓ３８０）。
【０１２０】
ＣＰＵ７０は、ＭＰＳ信号がファックス通信部３０を介して送信完了後（Ｓ３８０）、駆動部３９の駆動開始の指示を行い（Ｓ３８５）、Ｓ３０５に戻る。そして、一旦停止された位置Ｐ１に到達した次の原稿シートＧは、搬送ローラ４６によって再び原稿搬送経路４５を位置Ｐ２に向けて搬送される。読取センサ２１によって、次の原稿シートＧが読み取られる。
【０１２１】
Ｆセンサ１８がオフであれば（Ｓ３６０：ＹＥＳ）、Ｓ３９０に進む。なお、Ｆセンサ１８がオフということは給紙トレイ１２に搬送されるべき原稿シートＧが無いことを意味する。
【０１２２】
ＣＰＵ７０は、読取センサ２１によって読み取られた最終頁の原稿シートＧの読取画像が相手先装置６１に送信完了したことを示すＥＯＰ信号がファックス通信部３０を介して送信完了するまで待機する（Ｓ３９０）。そして、ＣＰＵ７０は、ＥＯＰ信号がファックス通信部３０を介して送信完了後（Ｓ３９５）、駆動部３９に対して駆動部３９の駆動停止の指示を行い（Ｓ４００）、搬送送信制御処理を終了する。
【０１２３】
＜１０．再送信処理（図９）について＞
次に、（ハ）ＡＮＳａｍ信号を受信し、回転送信オンの場合、すなわち、本発明の特徴的な構成である第２の場合の処理について説明する。
【０１２４】
ＣＰＵ７０は、ファックス通信部３０がＤＩＳ信号を受信する前にＡＮＳａｍ信号を受信した場合（Ｓ１３５：ＹＥＳ）であって、ＲＡＭ７７に回転送信オンというフラグが記憶されている場合（Ｓ１４０：ＹＥＳ）、上述のように、ファックス通信部３０が１回目のＤＩＳ信号を受信し、後述する搬送制御処理（図１０）を開始する（Ｓ２０５）。
【０１２５】
そして、ＣＰＵ７０は、図９の再送信処理を行う。ＣＰＵ７０は、相手先装置６１に対してＡＮＳａｍ信号の再送を要求する再送要求信号であるＣＩ信号を、ファックス通信部３０を介して送信する（Ｓ５００）。
【０１２６】
ＣＰＵ７０は、相手先装置６１から送られる２回目のＡＮＳａｍ信号をファックス通信部３０が受信するのを待機する（Ｓ５０５）。ＣＰＵ７０は、２回目のＡＮＳａｍ信号を受信したら（Ｓ５０５：ＹＥＳ）、ファックス通信部３０を用いてＶ８手順による各種信号のやり取りを相手先装置６１と行う（Ｓ５１０）。ＣＰＵ７０は、Ｖ８手順後、ファックス通信部３０が２回目のＤＩＳ信号を受信するのを待機する（Ｓ５１５）。そして、ＣＰＵ７０は、ファックス通信部３０が２回目のＤＩＳ信号後（Ｓ５１５：ＹＥＳ）、図９の再送信処理を終了する。
【０１２７】
ＣＰＵ７０は、ファックス通信部３０が２回目のＡＮＳａｍ信号を受信しない場合（Ｓ５０５：ＮＯ）、Ｓ５２０に進む。ＣＰＵ７０は、ファックス通信部３０がＣＩ信号を送信してから所定時間経過したかどうかを判断する（Ｓ５２０）。ＣＰＵ７０は、ＣＩ信号を送信してから所定時間経過していない場合（Ｓ５２０：ＮＯ）、Ｓ５０５に戻る。
【０１２８】
ＣＰＵ７０は、ファックス通信部３０が２回目のＡＮＳａｍ信号を受信することなく、ＣＩ信号を送信してから所定時間経過した場合（Ｓ５２０：ＹＥＳ）、２回目のＣＩ信号をファックス通信部３０によって送信する（Ｓ５２５）。
【０１２９】
再び、ＣＰＵ７０は、相手先装置６１から送られる２回目のＡＮＳａｍ信号をファックス通信部３０が受信するのを待機する（Ｓ５３０）。ＣＰＵ７０は、２回目のＡＮＳａｍ信号を受信したら（Ｓ５３０：ＹＥＳ）、Ｓ５１０に進む。ＣＰＵ７０は、Ｓ５１０、Ｓ５１５の処理を行う。
【０１３０】
ＣＰＵ７０は、２回目のＡＮＳａｍ信号を受信しない（Ｓ５３０：ＮＯ）、ＣＰＵ７０は、ファックス通信部３０が２回目のＣＩ信号を送信してから所定時間経過したかどうかを判断する（Ｓ５３５）。ＣＰＵ７０は、ファックス通信部３０が２回目のＣＩ信号を送信してから所定時間経過していない場合（Ｓ５３５：ＮＯ）、Ｓ５３０に戻る。
【０１３１】
ＣＰＵ７０は、ファックス通信部３０が２回目のＡＮＳａｍ信号を受信することなく、２回目のＣＩ信号を送信してから所定時間経過した場合（Ｓ５３５：ＹＥＳ）、異常終了として（Ｓ５４０）として、全ての処理を終了させる。
【０１３２】
＜１１．第２搬送制御処理（図１０）について＞
次に、図１０の第２搬送制御処理について説明する。なお、ＣＰＵ７０は、第２搬送制御処理（図１０）と第２送信制御処理（図１１）とを、互いに情報をやり取りしながら実行する。
【０１３３】
ＣＰＵ７０は、ファックス通信部３０が１回目のＤＩＳ信号を受信すると（図７、Ｓ２００：ＹＥＳ）、駆動部３９に対して駆動の開始を指示する（Ｓ６００）。駆動部３９は駆動を開始すると、複数の搬送ローラ４６が回転する。すると、原稿シートＧが給紙トレイ１２から搬送開始される。
【０１３４】
ＣＰＵ７０は、Ｒセンサ４４がオンするか否かを検知する（Ｓ６０５）。Ｒセンサ４４がオンすると（Ｓ６０５：ＹＥＳ）、原稿シートＧの先端がＲセンサ４４の位置Ｐ１に到達することになる。ＣＰＵ７０は、原稿シートＧが位置Ｐ１から位置Ｐ２に到達するまでの要する時間経過すると、読取センサ２１に対して読み取りを指示し、読み取りを開始する（Ｓ６１０）。
【０１３５】
ＣＰＵ７０は、第１バッファ７８に、読取センサ２１が読み取った読取画像が記憶開始される（Ｓ６１５）。ＣＰＵ７０は、Ｒセンサ４４のオンからオフになるのを監視する（Ｓ６２０）。Ｒセンサ４４がオフすると（Ｓ６２０：ＹＥＳ）、原稿シートＧが位置Ｐ１から位置Ｐ２に到達するまでの要する時間経過した段階で、ＣＰＵ７０は、読取センサ２１に対して読み取りの停止を指示する（Ｓ６２５）。Ｓ６１５が第１バッファ記憶処理の一例である。Ｓ６１０とＳ６２５が読取制御処理の一例である。
【０１３６】
Ｆセンサ１８がオフでない、すなわち、Ｆセンサ１８がオンであれば（Ｓ６３０：ＮＯ）、Ｓ６４５に進む。なお、上述したようにＦセンサ１８がオンということは給紙トレイ１２に搬送されるべき原稿シートＧが在ることを意味する。Ｆセンサ１８がオンであれば（Ｓ６３０：ＮＯ）、読取センサ２１によって読み取られた原稿シートＧと異なる、次の原稿シートが複数の搬送ローラ４６によって搬送される。
【０１３７】
ＣＰＵ７０は、Ｒセンサ４４のオフからオンになるのを監視する（Ｓ６４５）。Ｒセンサ４４がオンすると（Ｓ６４５：ＹＥＳ）と、ＣＰＵ７０は、第１バッファ７８が空であるか否かを判断する（Ｓ６５０）。第１バッファ７８が空であるということは、画像処理部７２による回転処理が完了していることを意味し、第１バッファ７８に再び読取画像を記憶することができる。
【０１３８】
ＣＰＵ７０は、第１バッファ７８が空である場合（Ｓ６５０：ＹＥＳ）、Ｓ６１０に戻る。引き続き、既に読み取られた原稿シートＧと異なる、次の原稿シートが読取センサ２１によって読み取られることになる。
【０１３９】
（イ）（ロ）の場合は、駆動部３９の駆動停止を行っていた（図８：Ｓ３７０）、それは、ユーザが駆動部３９の駆動と停止とによって、複合機１が何ページの読取画像を相手先装置６１にファックス送信完了したのかを把握することができるためである。しかし、（ハ）の場合、「Ｖ．３４」通信規格という高速で読取画像をファックス送信するため、読取センサ２１にて次の原稿シートＧを読み取る必要がある。その為、第１バッファ７８が空である場合（Ｓ６５０：ＹＥＳ）、駆動部３９の駆動停止を行うことなく、読取センサ２１によって次の原稿シートＧを読み取るようにしている。
【０１４０】
ＣＰＵ７０は、第１バッファ７８が空でない場合（Ｓ６５０：ＮＯ）、画像処理部７２による回転処理が完了していない為、読取センサ２１が次の原稿シートを読み取ることができない。ＣＰＵ７０は、駆動部３９に対して駆動の停止を指示する（Ｓ６５５）。ＣＰＵ７０は、再び、第１バッファ７８が空であるか否かを判断し（Ｓ６６０）、第１バッファ７８が空になった段階で（Ｓ６６０：ＹＥＳ）、駆動部３９に対して駆動の再開を指示する（Ｓ６６２）。
ＣＰＵ７０は、Ｆセンサ１８がオフであれば（Ｓ６３０：ＹＥＳ）、原稿シートＧを排紙トレイ４７に搬送するのに充分な所定時間経過後（Ｓ６６５）、駆動部３９に対して駆動部３９の駆動停止の指示を行い（Ｓ６７０）、第２搬送制御処理を終了する。
【０１４１】
＜１２．第２送信制御処理（図１１）について＞
次に、図１１の第２送信制御処理について説明する。なお、図１０の第２搬送制御処理と並行して実行される。
【０１４２】
ファックス通信部３０がＣＦＲ信号を受信してから（図７：Ｓ２２５参照）、ＣＰＵ７０は、ダミー画像をＰＩＸ信号としてファックス通信部３０を介して送信する（Ｓ７０５）。
【０１４３】
ＣＰＵ７０は、図１０の第２搬送制御処理の読取終了（図１０：Ｓ６２５）まで待機する（Ｓ７１０）。次に、ＣＰＵ７０は、第１バッファ７８に記憶された原稿シートＧ、１枚分に対応する読取画像に対して画像処理部７２を用いて回転処理を開始する（Ｓ７１５）。その際、回転処理された読取画像は、第２バッファ７９に記憶される。
【０１４４】
ＣＰＵ７０は、画像処理部７２による回転処理が終了するのを待機する（Ｓ７２０）。画像処理部７２による回転処理が終了すると（Ｓ７２０：ＹＥＳ）、ＣＰＵ７０は、第１バッファ７８に記憶された原稿シートＧ、１枚分に対応する読取画像を削除し、第１バッファ７８を空にする（Ｓ７２２）。Ｓ７２２は、第２バッファ記憶処理の一例である。
【０１４５】
次に、ＡＳＩＣ７１による圧縮処理が開始され、第２バッファ７９に記憶された回転処理後の読取画像が所定ライン分毎に圧縮される（Ｓ７２５）。なお、ＡＳＩＣ７１による圧縮処理される際の符号化方式は、ファックス通信部３０が受信したＤＩＳ信号に基づいて決定される。
【０１４６】
ＡＳＩＣ７１による圧縮処理が開始され、最初の所定ライン分の圧縮が完了すると、ＣＰＵ７０は、ダミー画像をＰＩＸ信号として送信するのを停止する（Ｓ７３０）。
【０１４７】
ＣＰＵ７０は、所定ライン分毎に圧縮処理された読取画像を順番に「Ｖ．３４」通信規格の通信速度の下でファックス通信部３０によるＰＩＸ信号の送信を開始する（Ｓ７４０）。送信完了した読取画像から順番に、ＲＡＭ７７の第２バッファ７９から送信完了した読取画像が削除される。Ｓ７４０が画像データ送信処理の一例である。
【０１４８】
ＣＰＵ７０は、原稿シートＧ、１枚分に対応する読取画像がファックス通信部３０によるＰＩＸ信号による送信完了したかどうかを判断する（Ｓ７４５）。なお、ＣＰＵ７０は、ＲＡＭ７７の第２バッファ７９が空である場合、送信完了したと判断する。
【０１４９】
次に、Ｆセンサ１８がオフでない、すなわち、Ｆセンサ１８がオンであれば（Ｓ７５０：ＮＯ）、Ｓ７５５に進む。ＣＰＵ７０は、読取センサ２１によって読み取られた１枚の読取画像が相手先装置６１に送信完了したことを示すＭＰＳ信号をファックス通信部３０を介して送信する（Ｓ７５５）。そして、Ｓ７０５に戻り、以降の処理を繰り返す。
【０１５０】
Ｆセンサ１８がオフであれば（Ｓ７５０：ＹＥＳ）、ＣＰＵ７０は、読取センサ２１によって読み取られた読取画像が全て相手先装置６１に送信完了したことを示すＥＯＰ信号をファックス通信部３０を介して送信する（Ｓ７６０）。ＣＰＵ７０は、図１１の第２送信制御処理を終了する。
【０１５１】
＜１３．作用効果＞
（１）  以上のように、（ハ）の場合のように、原稿シートＧの１枚分の読取画像に対して９０度回転を行う場合に、相手先装置６１が「Ｖ．３４」通信規格の下で通信可能であることを示すＡＮＳａｍ信号を受信する場合がある。複合機１は、（ハ）の場合、複合機１が相手先装置６１からの１回目のＤＩＳ信号の受信（図７：Ｓ２００）からＣＦＲ信号の受信（図７、Ｓ２２５：ＹＥＳ）に至る一連の工程の中に、相手先装置６１にＡＮＳａｍ信号の再送を要求するＣＩ信号（再送要求信号）を送信し（図９：Ｓ５００）、かつ、２回目のＡＮＳａｍ信号（図９：Ｓ５０５）と２回目のＤＩＳ信号（図９：Ｓ５１５）とを受信する工程を入れる。故に、複合機１は、（イ）の場合と異なり、複合機１がＣＦＲ信号を受信するタイミングが遅くすることができ（図７：Ｓ２２５）、相手先装置６１のタイムアウト時間を越えないようにすることができる。相手先装置６１の「Ｖ．３４」通信規格の下で通信可能という要求通りに、複合機１が読取画像を「Ｖ．３４」通信規格の下で相手先装置６１にファックス送信することができる。
【０１５２】
（２）  更に、複合機１は、ファックス通信部３０によりＡＮＳａｍ信号の再送の要求としてＣＩ信号（再送要求信号）を送信し（図９：Ｓ５００）、ファックス通信部３０が最初にＣＩ信号（再送要求信号）を送信してから所定時間内に、ファックス通信部３０が相手先装置６１からの２回目のＡＮＳａｍ信号を受信しない場合（図９、Ｓ５２０：ＹＥＳ）、ファックス通信部３０により２回目のＣＩ信号（再送要求信号）を相手先装置６１に送信する（図９：Ｓ５２５）。
【０１５３】
複合機１が、１回目のＡＮＳａｍ信号を受信したにもかかわらず、２回目のＡＮＳａｍ信号を受信できないのは、相手先装置６１のなにかしらの不調であるため、再度、ＣＩ信号（再送要求信号）を送信することで、複合機１が２回目のＡＮＳａｍ信号を受信できるようにすることができる。
【０１５４】
（３）  （ハ）の場合に、更に、ＣＰＵ７０は、相手先装置６１からのＣＦＲ信号の受信後（図７、Ｓ２２５：ＹＥＳ）、ファックス通信部３０に対してダミー画像の送信を開始させる（図１１：Ｓ７０５）。そして、回転処理（図１１：Ｓ７２０）が完了後、ＣＰＵ７０は、ファックス通信部３０に対して相手先装置６１へのダミー画像の送信を停止させる（図１１：Ｓ７４０）。
【０１５５】
複合機１は、ＣＦＲ信号を受信後、通信規格（「Ｖ．１７」通信規格）で定められた所定期間の間、ダミー画像を送信することによって、複合機１が読取画像を送信するのに要する準備に余裕ができるため、仮に、搬送ローラ４６による原稿シートＧの遅れがあったとしても相手先装置６１がタイムアウトせずに複合機１が相手先装置６１にファックス送信することができる。
【０１５６】
（４）  複合機１は、更に、ＲＡＭ７７に第１バッファ７８と第２バッファ７９とからなる記憶領域を有する。複合機１は、読取センサ２１より原稿搬送経路４５の上流側の位置を通過する原稿シートＧを検知するＲセンサ４４を備える。
【０１５７】
ＣＰＵ７０は、読取センサ２１に対して位置Ｐ２に搬送される原稿シートＧの読み取りを開始させる（図１０：Ｓ６１０）。そして、Ｒセンサ４４のオンからオフへの変化から（図１０：Ｓ６２０）、搬送ローラ４６によって原稿シートＧが位置Ｐ１から位置Ｐ２に到達するまでの要する時間経過すると、読取センサ２１に対して位置Ｐ２での読み取りを停止させる。読取センサ２１が読み取った読取画像は、読み取られた順に、第１バッファ７８に記憶させる（図１０：Ｓ６１５）。
【０１５８】
ＣＰＵ７０は、（ハ）の場合に、第１バッファ７８に記憶された原稿シートＧ、１枚分に対応する読取画像を画像処理部７２を用いて９０度回転する回転処理を実行し、回転処理された読取画像が第２バッファ７９に記憶される（図１１：Ｓ７１５）。そして、ＣＰＵ７０は、第１バッファ７８を空にする（図１１：Ｓ７２２）。
【０１５９】
ＣＰＵ７０は、（ハ）の場合に、第２バッファ７９に記憶された回転処理された読取画像を、Ｖ．３４通信規格の下でファックス通信部３０を用いて相手先装置６１に送信する（図１１：Ｓ７４０）。
【０１６０】
ＣＰＵ７０は、（ハ）の場合に、Ｒセンサ４４のオンからオフの変化に基づく読取センサ２１による読み取り終了後（図１０：Ｓ６２５）、再び、Ｒセンサ４４がオフからオンの変化に基づいて（図１０：Ｓ６４５）、第１バッファ７８が空であれば（図１０、Ｓ６５０：ＹＥＳ）、駆動部３９による駆動を停止させることなく、維持する。
【０１６１】
上記構成であることによって、読取センサ２１によって読み取られた原稿シートＧの読取画像は、第１バッファ７８に順番に記憶される。そして、原稿シートＧ、１枚分の読取画像が第１バッファ７８に記憶された段階で、その読取画像に対して回転処理を実行し、回転処理された読取画像は第２バッファ７９に記憶される。その回転処理と並行して、駆動部３９による駆動は継続して行われ、次の原稿シートＧがＲセンサ４４の位置まで搬送される。
【０１６２】
（ロ）の場合では、次の原稿シートＧがＲセンサ４４の位置まで到達したこと、すなわち、Ｒセンサ４４がオン（図８：Ｓ３６５）した段階で、駆動部３９を停止していた（図８：Ｓ３７０）。
【０１６３】
本発明の上記構成では、Ｒセンサ４４がオンした段階で（図８：Ｓ３６５）、第１バッファが空になっていれば（図１０、Ｓ６５０：ＹＥＳ）、既に読み取った原稿シートＧの読取画像のＰＩＸ信号の送信完了を待たずに、読取センサ２１によって次の原稿シートＧの読み取りを行うことができる。Ｖ．３４通信規格の下でファックス送信する場合は、Ｖ．３４とかの他の通信規格に比べて高速に相手先装置６１に送信することができるため、複合機１は、既に読み取った原稿シートＧの読取画像のＰＩＸ信号の送信完了を待たずに、読取センサ２１によって次の原稿シートＧの読み取りを行ったほうが効率よく相手先装置６１にファックス送信することができる。
【０１６４】
（５）  ＣＰＵ７０は、（ハ）の場合に、Ｒセンサ４４のオンかオフの変化に基づく読取センサ２１の読み取り終了後（図１０：Ｓ６２５）、再び、前記センサ部が非検知から検知の変化に基づいて（図１０：Ｓ６４５）、第１バッファ７８が空で無ければ（図１０、Ｓ６５０：ＮＯ）、駆動部３９による駆動を停止させ、第１バッファ７８が空になった段階（図１０、Ｓ６６０：ＹＥＳ）で、ＣＰＵ７０は、駆動部３９に対して駆動の再開を指示する（図１０：Ｓ６６２）。
【０１６５】
なんらかの事情で、画像処理部７２による回転処理が遅れた場合であっても、第１バッファ７８が空になった段階（図１０、Ｓ６６０：ＹＥＳ）で、速やかにＣＰＵ７０は、駆動部３９に対して駆動の再開を指示することで、次の原稿シートＧに対する読取センサ２１の読取を開始することができる。
【０１６６】
（６）  少なくとも、駆動部３９によって給紙トレイ１２から原稿シートＧを搬送開始（図６：ｆ）してから原稿シートＧの先端が位置Ｐ２（図６：ｇ）に至るまでの所要時間が、ファックス通信部３０が１回目のＤＩＳ信号を受信してから（図６：ｆ）２回目のＡＮＳａｍ信号と２回目のＤＩＳ信号とを再度、受信を経て、ＣＦＲ信号を受信するまで（図６：ｈ）に至る時間より短い、複合機１であるとよい。
【０１６７】
原稿シートＧ、１枚分を読取センサ２１が読み取るのに要する時間（図６：ＴＲＥ）と、原稿シートＧ、画像処理部７２が１枚分に対応する読取画像に対して９０度回転する処理に要する時間（図６：ＴＲＯ）と、所定ライン分の圧縮処理を完了させるのに必要な時間（図６：ＴＰ）との和は、通信規格で定められた相手先装置が前記受信準備確認信号を受信してから一定時間経過するタイムアウト時間（図６：ＴＯＵＴ）よりも短い、複合機１であるとよい。
【０１６８】
（７）  複合機１は、原稿シートＧの長辺が読取センサ２１の主走査方向Ｄ１に平行な向き、又は、原稿シートＧの短辺が読取センサ２１の主走査方向Ｄ１に平行な向き、のいずれかの向きに給紙トレイ１２に支持されているかを検知する幅センサ１７を備えている。
【０１６９】
そして、ＣＰＵ７０は、幅センサ１７が原稿シートＧの長辺が読取センサ２１の主走査方向Ｄ１に平行な向きであることを検知している場合に、回転処理を実行すると決定する（図７：Ｓ１１０）。
【０１７０】
また、複合機１は、記録紙シートＨが支持される記録紙トレイ１３と、画像形成を行う画像形成部３１を備えている。
【０１７１】
記録紙トレイ１３は、記録紙シートＨの長辺が画像形成部３１の記録主走査方向Ｄ３と平行となる向きに記録紙シートＨが支持されている。画像形成部３１は、記録主走査方向Ｄ３と直交する記録紙搬送経路３５に沿って搬送された記録紙シートＨに対して、記録主走査方向Ｄ３に画像形成する。
【０１７２】
複合機１は、単に相手先装置６１にファックス送信するのに用いられるだけではなく、読取センサ２１やＡＤＦ４１を用いて原稿シートＧを読み取り、その原稿シートＧを読み取った読取画像を画像形成部３１によって記録紙シートＨに記録するコピー機能もある。
【０１７３】
原稿シートＧの長辺が読取センサ２１の主走査方向Ｄ１に沿う向きに、原稿シートＧが給紙トレイ１２に支持されていると、画像処理部７２が読取センサ２１によって読み取られた読取画像に対して回転処理を実行すること無く、読取画像をそのまま、画像形成部３１が記録紙シートＨに記録することができる。
【０１７４】
ユーザにとって、複合機１を用いてコピー機能を実行する際、原稿シートＧの長辺が読取センサ２１の主走査方向Ｄ１に沿う向きに給紙トレイ１２に載置されていると、便利である。一方、相手先装置６１にファックス送信する際は、読取画像は、原稿シートＧの短辺側を先に送信する必要が予め定められており、回転処理を行う必要があった。本実施例の構成にすることで、複合機１がコピー機能と同様に、仮にユーザがコピー機能と同じように原稿シートＧの長辺が読取センサ２１の主走査方向Ｄ１に沿う向きに給紙トレイ１２に載置したとしても、相手先装置６１にファックス送信することができる。
【０１７５】
＜１４．変形例＞
以上、本発明のいくつかの実施形態について説明したが、本発明は、更に他の形態で実施することも可能である。
【０１７６】
たとえば、前述の実施形態では、ＣＰＵ７０が各処理を実行する場合について説明した。しかしながら、ＡＳＩＣ７１が複数のＣＰＵを備え、複数のＣＰＵが協働して各処理を実行してもよい。
【０１７７】
その他、前述の構成には、特許請求の範囲に記載された事項の範囲で種々の設計変更を施すことが可能である。
【符号の説明】
【０１７８】
１      複合機、３      原稿搬送ユニット、１２      給紙トレイ、
１３      記録紙トレイ、１７      幅センサ、２１      読取センサ、
３０      ファックス通信部、３１      画像形成部、３９      駆動部、
４１      ＡＤＦ、４４      Ｒセンサ、４６      搬送ローラ、７０      ＣＰＵ、
７７      ＲＡＭ
【図１】
2018042039.tif 000003
【図２Ａ】
2018042039.tif 000004
【図２Ｂ】
2018042039.tif 000005
【図３】
2018042039.tif 000006
【図４】
2018042039.tif 000007
【図５】
2018042039.tif 000008
【図６】
2018042039.tif 000009
【図７】
2018042039.tif 000010
【図８】
2018042039.tif 000011
【図９】
2018042039.tif 000012
【図１０】
2018042039.tif 000013
【図１１】
2018042039.tif 000014